(57)【要約】  本発明は、データ伝送方法、端末装置、ネットワーク装置、及びコンピュータ記憶媒体を開示し、端末装置が第１チャネルの使用する伝送波形を決定することと、前記端末装置が前記伝送波形に基づいて第１チャネルでデータ伝送を行うことと、を含む。
2021510248.tif 000002
【特許請求の範囲】
【請求項１】
データ伝送方法であって、
端末装置が第１チャネルの使用する伝送波形を決定することと、
前記端末装置が前記伝送波形に基づいて第１チャネルでデータ伝送を行うことと、を含むデータ伝送方法。
【請求項２】
前記端末装置が第１チャネルの使用する伝送波形を決定することは、
前記端末装置がネットワーク装置から送信された設定情報、前記第１チャネルの使用するリソースプール、前記第１チャネルの使用するキャリアのうちの少なくとも１つに基づいて、前記第１チャネルの使用する伝送波形を決定することを含む請求項１に記載の方法。
【請求項３】
前記端末装置がネットワーク装置から送信された設定情報、前記第１チャネルの使用するリソースプール、前記第１チャネルの使用するキャリアのうちの少なくとも１つに基づいて、前記第１チャネルの使用する伝送波形を決定することは、
前記設定情報が第１伝送波形を示す場合、前記端末装置が複数の伝送波形の中から前記第１伝送波形を前記第１チャネルの使用する伝送波形として決定することを含む請求項２に記載の方法。
【請求項４】
前記複数の伝送波形は前記端末装置に事前設定されたものであり、又は前記ネットワーク装置によって設定されたものである請求項３に記載の方法。
【請求項５】
前記端末装置がネットワーク装置から送信された設定情報、前記第１チャネルの使用するリソースプール、前記第１チャネルの使用するキャリアのうちの少なくとも１つに基づいて、前記第１チャネルの使用する伝送波形を決定することは、
前記端末装置が前記第１チャネルの使用するリソースプール及び第１対応関係に基づいて、前記第１チャネルの使用する伝送波形を決定し、前記第１対応関係は複数のリソースプールと複数の伝送波形との対応関係であることを含む請求項２に記載の方法。
【請求項６】
前記第１対応関係は前記端末装置に事前設定されたものであり、又は前記ネットワーク装置によって設定されたものである請求項５に記載の方法。
【請求項７】
前記端末装置がネットワーク装置から送信された設定情報、前記第１チャネルの使用するリソースプール、前記第１チャネルの使用するキャリアのうちの少なくとも１つに基づいて、前記第１チャネルの使用する伝送波形を決定することは、
前記端末装置が前記第１チャネルの使用するキャリア及び第２対応関係に基づいて、前記第１チャネルの使用する伝送波形を決定し、前記第２対応関係は複数のキャリアと複数の伝送波形との対応関係であることを含む請求項２に記載の方法。
【請求項８】
前記第２対応関係は前記端末装置に事前設定されたものであり、又は前記ネットワーク装置によって設定されたものである請求項７に記載の方法。
【請求項９】
前記第１チャネルは物理サイドリンク共有チャネル（ＰＳＳＣＨ）であり、又は、前記第１チャネルは物理サイドリンク制御チャネル（ＰＳＣＣＨ）であり、又は、前記第１チャネルは物理サイドリンクフィードバックチャネル（ＰＳＦＣＨ）であり、又は、前記第１チャネルは物理サイドリンクブロードキャストチャネル（ＰＳＢＣＨ）である請求項１〜８のいずれか１項に記載の方法。
【請求項１０】
前記第１チャネルは物理サイドリンク共有チャネル（ＰＳＳＣＨ）であり、前記第１チャネルに対応する物理サイドリンク制御チャネル（ＰＳＣＣＨ）は第２チャネルであり、前記端末装置が第１チャネルの使用する伝送波形を決定することは、
前記端末装置が前記第２チャネルに基づいて、前記第１チャネルの使用する伝送波形を決定することを含む請求項１に記載の方法。
【請求項１１】
前記第２チャネルにおいて指示情報が搬送され、前記指示情報は第２伝送波形を示すことに用いられ、
前記端末装置が前記第２チャネルに基づいて、前記第１チャネルの使用する伝送波形を決定することは、
前記端末装置が前記指示情報に示された前記第２伝送波形を前記第１チャネルの使用する伝送波形として決定することを含む請求項１０に記載の方法。
【請求項１２】
前記端末装置が前記第２チャネルに基づいて、前記第１チャネルの使用する伝送波形を決定することは、
前記端末装置が前記第２チャネルに対応するＤＭＲＳのシーケンス、循環シフト、直交カバーコード（ＯＣＣ）、リソース位置、ルートシーケンスのうちの少なくとも１つ及び第３対応関係に基づいて、前記第１チャネルの使用する伝送波形を決定し、前記第３対応関係は、ＤＭＲＳのシーケンス、循環シフト、直交カバーコード（ＯＣＣ）、リソース位置、ルートシーケンスのうちの少なくとも１つと伝送波形との間の対応関係であることを含む請求項１０に記載の方法。
【請求項１３】
前記第３対応関係は前記端末装置に事前設定されたものであり、又は前記ネットワーク装置によって設定されたものである請求項１２に記載の方法。
【請求項１４】
前記端末装置が前記第２チャネルに基づいて、前記第１チャネルの使用する伝送波形を決定することは、
前記端末装置が前記第２チャネルのスクランブルコード情報及び第４対応関係に基づいて、前記第１チャネルの使用する伝送波形を決定し、前記第４対応関係は複数のスクランブルコード情報と複数の伝送波形との間の対応関係であることを含む請求項１０に記載の方法。
【請求項１５】
前記第４対応関係は前記端末装置に事前設定されたものであり、又は前記ネットワーク装置によって設定されたものである請求項１４に記載の方法。
【請求項１６】
前記端末装置が前記第２チャネルに基づいて、前記第１チャネルの使用する伝送波形を決定することは、
前記端末装置が前記第２チャネルのマスクコード情報及び第５対応関係に基づいて、前記第１チャネルの使用する伝送波形を決定し、前記第５対応関係は複数のマスクコード情報と複数の伝送波形との間の対応関係であることを含む請求項１０に記載の方法。
【請求項１７】
前記第５対応関係は前記端末装置に事前設定されたものであり、又は前記ネットワーク装置によって設定されたものである請求項１６に記載の方法。
【請求項１８】
前記端末装置が第１チャネルの使用する伝送波形を決定することは、
前記端末装置がネットワーク装置から送信された設定情報、前記第１チャネルの使用するリソースプール、前記第１チャネルの使用するキャリア、前記第１チャネルのタイプ、事前設定情報のうちの少なくとも１つに基づいて、前記第１チャネルの使用する伝送波形を決定することを含む請求項１に記載の方法。
【請求項１９】
前記端末装置がネットワーク装置から送信された設定情報、前記第１チャネルの使用するリソースプール、前記第１チャネルの使用するキャリア、前記第１チャネルのタイプ、事前設定情報のうちの少なくとも１つに基づいて、前記第１チャネルの使用する伝送波形を決定することは、
前記端末装置が前記第１チャネルのタイプ及び第６対応関係に基づいて、前記第１チャネルの使用する伝送波形を決定し、前記第６対応関係はチャネルタイプと伝送波形との対応関係を含むことを含む請求項１８に記載の方法。
【請求項２０】
前記第１チャネルのタイプは、
物理サイドリンク制御チャネル（ＰＳＣＣＨ）、物理サイドリンク共有チャネル（ＰＳＳＣＨ）、物理サイドリンクフィードバックチャネル（ＰＳＦＣＨ）、物理サイドリンクブロードキャストチャネル（ＰＳＢＣＨ）のうちの少なくとも１つのチャネルタイプを含む請求項１８又は１９に記載の方法。
【請求項２１】
前記第６対応関係は前記端末装置に事前設定されたものであり、又は前記ネットワーク装置によって設定されたものである請求項１９又は２０に記載の方法。
【請求項２２】
データ伝送方法であって、
ネットワーク装置が設定情報を決定し、前記設定情報は第１チャネルの使用する伝送波形を端末装置に示すことに用いられることと、
前記ネットワーク装置が前記端末装置に前記設定情報を送信することと、を含むデータ伝送方法。
【請求項２３】
前記設定情報は複数の伝送波形のうちの第１伝送波形を示すことに用いられる請求項２２に記載の方法。
【請求項２４】
前記方法は更に、
前記ネットワーク装置が前記端末装置に前記複数の伝送波形を設定することを含む請求項２３に記載の方法。
【請求項２５】
前記設定情報は第１対応関係を示すことに用いられ、前記第１対応関係は複数のリソースプールと複数の伝送波形との対応関係である請求項２２又は２４に記載の方法。
【請求項２６】
前記設定情報は第２対応関係を示すことに用いられ、前記第２対応関係は複数のキャリアと複数の伝送波形との対応関係である請求項２２〜２５のいずれか１項に記載の方法。
【請求項２７】
前記第１チャネルは物理サイドリンク制御チャネル（ＰＳＣＣＨ）である請求項２２〜２６のいずれか１項に記載の方法。
【請求項２８】
前記第１チャネルは、
物理サイドリンク共有チャネル（ＰＳＳＣＨ）、物理サイドリンク制御チャネル（ＰＳＣＣＨ）、物理サイドリンクフィードバックチャネル（ＰＳＦＣＨ）、物理サイドリンクブロードキャストチャネル（ＰＳＢＣＨ）のうちの１つである請求項２２〜２６のいずれか１項に記載の方法。
【請求項２９】
前記設定情報は第３対応関係を示すことに用いられ、前記第３対応関係は、ＤＭＲＳのシーケンス、循環シフト、直交カバーコード（ＯＣＣ）、リソース位置、ルートシーケンスのうちの少なくとも１つと伝送波形との対応関係である請求項２８に記載の方法。
【請求項３０】
前記設定情報は第４対応関係を示すことに用いられ、前記第４対応関係は複数のスクランブルコード情報と伝送波形との対応関係である請求項２８に記載の方法。
【請求項３１】
前記設定情報は第５対応関係を示すことに用いられ、前記第５対応関係は複数のマスクコード情報と伝送波形との対応関係である請求項２８に記載の方法。
【請求項３２】
前記設定情報は第６対応関係を示すことに用いられ、前記第６対応関係はチャネルタイプと伝送波形との対応関係を含む請求項２８に記載の方法。
【請求項３３】
端末装置であって、
第１チャネルの使用する伝送波形を決定する第１処理ユニットと、
前記伝送波形に基づいて第１チャネルでデータ伝送を行う第１通信ユニットと、を含む端末装置。
【請求項３４】
前記第１処理ユニットはネットワーク装置から送信された設定情報、前記第１チャネルの使用するリソースプール、前記第１チャネルの使用するキャリアのうちの少なくとも１つに基づいて、前記第１チャネルの使用する伝送波形を決定する請求項３３に記載の端末装置。
【請求項３５】
前記第１処理ユニットは、前記設定情報が第１伝送波形を示す場合、複数の伝送波形の中から前記第１伝送波形を前記第１チャネルの使用する伝送波形として決定する請求項３４に記載の端末装置。
【請求項３６】
前記複数の伝送波形は前記端末装置に事前設定されたものであり、又は前記ネットワーク装置によって設定されたものである請求項３５に記載の端末装置。
【請求項３７】
前記第１処理ユニットは、前記第１チャネルの使用するリソースプール及び第１対応関係に基づいて、前記第１チャネルの使用する伝送波形を決定し、前記第１対応関係は複数のリソースプールと複数の伝送波形との対応関係である請求項３３に記載の端末装置。
【請求項３８】
前記第１対応関係は前記端末装置に事前設定されたものであり、又は前記ネットワーク装置によって設定されたものである請求項３７に記載の端末装置。
【請求項３９】
前記第１処理ユニットは、前記第１チャネルの使用するキャリア及び第２対応関係に基づいて、前記第１チャネルの使用する伝送波形を決定し、前記第２対応関係は複数のキャリアと複数の伝送波形との対応関係である請求項３３に記載の端末装置。
【請求項４０】
前記第２対応関係は前記端末装置に事前設定されたものであり、又は前記ネットワーク装置によって設定されたものである請求項３９に記載の端末装置。
【請求項４１】
前記第１チャネルは物理サイドリンク共有チャネル（ＰＳＳＣＨ）であり、又は、前記第１チャネルは物理サイドリンク制御チャネル（ＰＳＣＣＨ）であり、又は、前記第１チャネルは物理サイドリンクフィードバックチャネル（ＰＳＦＣＨ）であり、又は、前記第１チャネルは物理サイドリンクブロードキャストチャネル（ＰＳＢＣＨ）である請求項３３〜４０のいずれか１項に記載の端末装置。
【請求項４２】
前記第１処理ユニットは前記第２チャネルに基づいて、前記第１チャネルの使用する伝送波形を決定する請求項３３に記載の端末装置。
【請求項４３】
前記第２チャネルにおいて指示情報が搬送され、前記指示情報は第２伝送波形を示すことに用いられ、
前記第１処理ユニットは、前記指示情報に示された前記第２伝送波形を前記第１チャネルの使用する伝送波形として決定する請求項４２に記載の端末装置。
【請求項４４】
前記第１処理ユニットは、前記第２チャネルに対応するＤＭＲＳのシーケンス、循環シフト、直交カバーコード（ＯＣＣ）、リソース位置、ルートシーケンスのうちの少なくとも１つ及び第３対応関係に基づいて、前記第１チャネルの使用する伝送波形を決定し、前記第３対応関係は、ＤＭＲＳのシーケンス、循環シフト、直交カバーコード（ＯＣＣ）、リソース位置、ルートシーケンスのうちの少なくとも１つと伝送波形との間の対応関係である請求項４２に記載の端末装置。
【請求項４５】
前記第３対応関係は前記端末装置に事前設定されたものであり、又は前記ネットワーク装置によって設定されたものである請求項４４に記載の端末装置。
【請求項４６】
前記第１処理ユニットは、前記第２チャネルのスクランブルコード情報及び第４対応関係に基づいて、前記第１チャネルの使用する伝送波形を決定し、前記第４対応関係は複数のスクランブルコード情報と複数の伝送波形との間の対応関係である請求項４２に記載の端末装置。
【請求項４７】
前記第４対応関係は前記端末装置に事前設定されたものであり、又は前記ネットワーク装置によって設定されたものである請求項４６に記載の端末装置。
【請求項４８】
前記第１処理ユニットは、前記第２チャネルのマスクコード情報及び第５対応関係に基づいて、前記第１チャネルの使用する伝送波形を決定し、前記第５対応関係は複数のマスクコード情報と複数の伝送波形との間の対応関係である請求項４２に記載の端末装置。
【請求項４９】
前記第５対応関係は前記端末装置に事前設定されたものであり、又は前記ネットワーク装置によって設定されたものである請求項４８に記載の端末装置。
【請求項５０】
前記第１処理ユニットは、ネットワーク装置から送信された設定情報、前記第１チャネルの使用するリソースプール、前記第１チャネルの使用するキャリア、前記第１チャネルのタイプ、事前設定情報のうちの少なくとも１つに基づいて、前記第１チャネルの使用する伝送波形を決定する請求項３３に記載の端末装置。
【請求項５１】
前記第１処理ユニットは、前記第１チャネルのタイプ及び第６対応関係に基づいて、前記第１チャネルの使用する伝送波形を決定し、前記第６対応関係はチャネルタイプと伝送波形との対応関係を含む請求項５０に記載の端末装置。
【請求項５２】
前記第１チャネルのタイプは、
物理サイドリンク制御チャネル（ＰＳＣＣＨ）、物理サイドリンク共有チャネル（ＰＳＳＣＨ）、物理サイドリンクフィードバックチャネル（ＰＳＦＣＨ）、物理サイドリンクブロードキャストチャネル（ＰＳＢＣＨ）のうちの少なくとも１つのチャネルタイプを含む請求項５０又は５１に記載の端末装置。
【請求項５３】
前記第６対応関係は前記端末装置に事前設定されたものであり、又は前記ネットワーク装置によって設定されたものである請求項５１又は５２に記載の端末装置。
【請求項５４】
ネットワーク装置であって、
設定情報を決定し、前記設定情報は第１チャネルの使用する伝送波形を端末装置に示すことに用いられる第２処理ユニットと、
前記端末装置に前記設定情報を送信する第２通信ユニットと、を含むネットワーク装置。
【請求項５５】
前記設定情報は複数の伝送波形のうちの第１伝送波形を示すことに用いられる請求項５４に記載のネットワーク装置。
【請求項５６】
前記第２通信ユニットは前記端末装置に前記複数の伝送波形を設定する請求項５５に記載のネットワーク装置。
【請求項５７】
前記設定情報は第１対応関係を示すことに用いられ、前記第１対応関係は複数のリソースプールと複数の伝送波形との対応関係である請求項５４又は５６に記載のネットワーク装置。
【請求項５８】
前記設定情報は第２対応関係を示すことに用いられ、前記第２対応関係は複数のキャリアと複数の伝送波形との対応関係である請求項５４〜５７のいずれか１項に記載のネットワーク装置。
【請求項５９】
前記第１チャネルは物理サイドリンク制御チャネル（ＰＳＣＣＨ）である請求項５４〜５８のいずれか１項に記載のネットワーク装置。
【請求項６０】
前記第１チャネルは物理サイドリンク共有チャネル（ＰＳＳＣＨ）であり、又は、前記第１チャネルは物理サイドリンク制御チャネル（ＰＳＣＣＨ）であり、又は、前記第１チャネルは物理サイドリンクフィードバックチャネル（ＰＳＦＣＨ）であり、又は、前記第１チャネルは物理サイドリンクブロードキャストチャネル（ＰＳＢＣＨ）である請求項５４〜５８のいずれか１項に記載のネットワーク装置。
【請求項６１】
前記設定情報は第３対応関係を示すことに用いられ、前記第３対応関係は、ＤＭＲＳのシーケンス、循環シフト、直交カバーコード（ＯＣＣ）、リソース位置、ルートシーケンスのうちの少なくとも１つと伝送波形との対応関係である請求項６０に記載のネットワーク装置。
【請求項６２】
前記設定情報は第４対応関係を示すことに用いられ、前記第４対応関係は複数のスクランブルコード情報と伝送波形との対応関係である請求項６０に記載のネットワーク装置。
【請求項６３】
前記設定情報は第５対応関係を示すことに用いられ、前記第５対応関係は複数のマスクコード情報と伝送波形との対応関係である請求項６０に記載のネットワーク装置。
【請求項６４】
前記設定情報は第６対応関係を示すことに用いられ、前記第６対応関係はチャネルタイプと伝送波形との対応関係を含む請求項６０に記載のネットワーク装置。
【請求項６５】
端末装置であって、プロセッサ、及びプロセッサにおいて実行できるコンピュータプログラムを記憶するためのメモリを含み、
前記プロセッサは、前記コンピュータプログラムが実行される時、請求項１〜２１のいずれか１項に記載の方法のステップを実行することに用いられる端末装置。
【請求項６６】
ネットワーク装置であって、プロセッサ、及びプロセッサにおいて実行できるコンピュータプログラムを記憶するためのメモリを含み、
前記プロセッサは、前記コンピュータプログラムが実行される時、請求項２２〜３２のいずれか１項に記載の方法のステップを実行することに用いられるネットワーク装置。
【請求項６７】
コンピュータ記憶媒体であって、コンピュータ実行可能な命令が記憶され、前記コンピュータ実行可能な命令が実行される時、請求項１〜３２のいずれか１項に記載の方法のステップが実現されるコンピュータ記憶媒体。
【発明の詳細な説明】
【技術分野】
【０００１】
本発明は情報処理技術分野に関し、特にデータ伝送方法、端末装置、ネットワーク装置、及びコンピュータ記憶媒体に関する。
【背景技術】
【０００２】
車両のインターネットシステムは、ロングタームエボリューション端末から端末へ（ＬＴＥ−Ｄ２Ｄ、Ｌｏｎｇ  Ｔｅｒｍ  Ｅｖｏｌｕｔｉｏｎｎ−  Ｄｅｖｉｃｅ  ｔｏ  Ｄｅｖｉｃｅ）に基づくサイドリンク（ＳＬ、Ｓｉｄｅｌｉｎｋ）伝送技術である。第３世代パートナーシッププロジェクト（３ＧＰＰ、ｔｈｅ  ３ｒｄ  Ｇｅｎｅｒａｔｉｏｎ  Ｐａｒｔｎｅｒｓｈｉｐ  Ｐｒｏｊｅｃｔ）のＲｅｌ−１４では車両のインターネット技術（Ｖ２Ｘ）の標準化が行われ、モード３とモード４という２つの伝送モードが定義されている。モード３では、図１に示すように、車載端末の伝送リソースは基地局によって割り当てられるものであり、車載端末は基地局によって割り当てられたリソースに基づいてサイドリンクにおいてデータの送信を行う。モード４では、図２に示すように、車載端末はセンシング（ｓｅｎｓｉｎｇ）＋予約（ｒｅｓｅｒｖａｔｉｏｎ）の伝送方式を採用し、車載端末はリソースプールにおいてセンシングの方式によって使用可能な伝送リソースセットを取得し、端末は該セットからランダムに１つのリソースを選択してデータの伝送を行う。
【０００３】
ＮＲ−Ｖ２Ｘでは、自動運転をサポートする必要があるため、車両間のデータインタラクションに対してより高い要求が求められ、５Ｇ  ＮＲシステムにおいては、アップリンクは、サイクリックプレフィックスＯＦＤＭ（ＣＰ−ＯＦＤＭ、Ｃｙｃｌｉｃ  Ｐｒｅｆｉｘ  ＯＦＤＭ）と離散フーリエ変換ＯＦＤＭ（ＤＦＴ−ＯＦＤＭ、Ｄｉｓｃｒｅｔｅ  Ｆｏｕｒｉｅｒ  Ｔｒａｎｓｆｏｒｍ  ＯＦＤＭ）という２種類の伝送波形をサポートする。Ｒｅｌ−１４  Ｖ２Ｘでは、ＬＴＥのアップリンク伝送波形を踏襲してＤＦＴ−ＯＦＤＭが採用され、ＮＲ−Ｖ２Ｘでは、より柔軟なリソース構成のために、５Ｇ  ＮＲアップリンクに類似する２種類の伝送波形構造、即ち、ＣＰ−ＯＦＤＭとＤＦＴ−ＯＦＤＭが採用されてもよい。しかし、Ｖ２Ｘシステムにおいて、上記の２種類の伝送波形が採用される場合、データの送信時に伝送波形をどのように選択し、そして受信側がどの伝送波形に基づいてデータの受信を行うかは解決必要な課題となる。
【発明の概要】
【０００４】
上記の技術課題を解決するために、本発明実施例は、データ伝送方法、端末装置、ネットワーク装置、及びコンピュータ記憶媒体を提供する。
【０００５】
本発明実施例が提供するデータ伝送方法は、
端末装置が第１チャネルの使用する伝送波形を決定することと、
前記端末装置が前記伝送波形に基づいて第１チャネルでデータ伝送を行うことと、を含む。
【０００６】
本発明実施例が提供するデータ伝送方法は、
ネットワーク装置が設定情報を決定し、前記設定情報は第１チャネルの使用する伝送波形を端末装置に示すことに用いられることと、
前記ネットワーク装置が前記端末装置に前記設定情報を送信することと、を含む。
【０００７】
本発明実施例が提供する端末装置は、
第１チャネルの使用する伝送波形を決定する第１処理ユニットと、
前記伝送波形に基づいて第１チャネルでデータ伝送を行う第１通信ユニットと、を含む。
【０００８】
本発明実施例が提供するネットワーク装置は、
設定情報を決定し、前記設定情報は第１チャネルの使用する伝送波形を端末装置に示すことに用いられる第２処理ユニットと、
前記端末装置に前記設定情報を送信する第２通信ユニットと、を含む。
【０００９】
本発明実施例が提供する端末装置は、プロセッサ、及びプロセッサにおいて実行できるコンピュータプログラムを記憶するためのメモリを含み、
前記プロセッサは、前記コンピュータプログラムが実行される時、前述の方法のステップを実行することに用いられる。
【００１０】
本発明実施例が提供するネットワーク装置は、プロセッサ、及びプロセッサにおいて実行できるコンピュータプログラムを記憶するためのメモリを含み、
前記プロセッサは、前記コンピュータプログラムが実行される時、前述の方法のステップを実行することに用いられる。
【００１１】
本発明実施例はコンピュータ記憶媒体を提供し、前記コンピュータ記憶媒体にはコンピュータ実行可能な命令が記憶され、前記コンピュータ実行可能な命令が実行される時、前述の方法ステップが実現される。
【００１２】
本発明実施例の技術案で、端末装置はチャネルを介してデータ伝送を行う時、まずチャネルに対応する伝送波形を決定し、それから選択した伝送波形に基づいてチャネルの伝送を行うことができる。これにより、受信側及び送信側がどのように伝送波形を選択するかという課題が解決され、それによって端末のインタラクション効率が確保される。
【図面の簡単な説明】
【００１３】
【図１】図１は車両のインターネットにおける伝送アーキテクチャの模式図１である。
【図２】図２は車両のインターネットにおける伝送アーキテクチャの模式図２である。
【図３】図３は本発明実施例が提供するデータ伝送方法の模式的なフローチャート１である。
【図４】図４は本発明実施例が提供するデータ伝送方法の模式的なフローチャート２である。
【図５】図５は本発明実施例の端末装置の構成構造の模式図である。
【図６】図６は本発明実施例のネットワーク装置の構成構造の模式図である。
【図７】図７は本発明実施例のハードウェアアーキテクチャの模式図である。
【発明を実施するための形態】
【００１４】
本発明実施例の特徴と技術内容をより詳しく理解できるために、以下は図面を参照しながら本発明実施例の実現について詳しく説明する。添付の図面は単に説明・参考するためのものであり、本発明実施例を限定するためのものではない。
【００１５】
実施例１、
本発明実施例が提供するデータ伝送方法は、図３に示すように、
端末装置が第１チャネルの使用する伝送波形を決定するステップ１０１と、
前記端末装置が前記伝送波形に基づいて第１チャネルでデータ伝送を行うステップ１０２と、を含む。
【００１６】
前述のステップ１０１について、端末装置が第１チャネルの使用する伝送波形を決定することは、端末装置がネットワーク装置から送信された設定情報、前記第１チャネルの使用するリソースプール、前記第１チャネルの使用するキャリアのうちの少なくとも１つに基づいて、前記第１チャネルの使用する伝送波形を決定することであってもよい。
【００１７】
具体的には、以下の複数の処理シーンを含む。
【００１８】
シーン１、
前記設定情報が第１伝送波形を示す場合、前記端末装置は複数の伝送波形の中から前記第１伝送波形を前記第１チャネルの使用する伝送波形として決定する。
【００１９】
前記複数の伝送波形は前記端末装置に事前設定されたものであり、又は前記ネットワーク装置によって設定されたものである。
【００２０】
前記複数の伝送波形は２つ以上の伝送波形である。
【００２１】
端末装置に事前設定された複数の伝送波形はチャネルとの間に事前に関係がなくてもよく、即ち、端末装置は複数の伝送波形から任意に１つの伝送波形を選択して第１チャネルの伝送波形としてもよい。
【００２２】
シーン２、前記端末装置は前記第１チャネルの使用するリソースプール及び第１対応関係に基づいて、前記第１チャネルの使用する伝送波形を決定し、前記第１対応関係は複数のリソースプールと複数の伝送波形との対応関係である。前記第１対応関係は前記端末装置に事前設定されたものであり、又は前記ネットワーク装置によって設定されたものである。
【００２３】
理解されるように、本シーンにおける異なるリソースプールの採用する伝送波形について、ネットワーク設定又は事前設定の方式によってリソースプールに対応する伝送波形形式が定義されてもよい。
【００２４】
具体的に、Ｖ２Ｘにおいて、ネットワーク設定又は事前設定の方式によって複数のリソースプールが設定されてもよく、異なるリソースプールは異なる伝送波形に対応してもよく、リソースプールと伝送波形との間の対応関係はネットワーク設定又は事前設定の方式によって決定されてもよい。
【００２５】
ネットワーク側で設定する場合、ネットワーク側はＲＲＣシグナリングの方式によって各リソースプールの伝送波形を設定してもよい。
【００２６】
シーン３、前記端末装置は前記第１チャネルの使用するキャリア及び第２対応関係に基づいて、前記第１チャネルの使用する伝送波形を決定し、前記第２対応関係は複数のキャリアと複数の伝送波形との対応関係であり、前記第２対応関係は前記端末装置に事前設定されたものであり、又は前記ネットワーク装置によって設定されたものである。
【００２７】
具体的に、異なるキャリアは異なる伝送波形を採用し、ネットワーク設定又は事前設定の方式によってキャリアに対応する伝送波形形式が定義されてもよい。
【００２８】
Ｖ２Ｘでは複数のキャリアをサポートでき、例えば、Ｒｅｌ−１５のＶ２Ｘでは８つのキャリアをサポートでき、異なるキャリアに異なる伝送波形を設定できる。例えば、Ｒｅｌ−１４又はＲｅｌ−１５の端末を後方互換することを考えて、Ｒｅｌ−１４又はＲｅｌ−１５端末のあるキャリアにおいてはＤＦＴ−ＯＦＤＭ伝送波形を採用する。他のキャリアにおいてはＤＦＴ−ＯＦＤＭ又はＣＰ−ＯＦＤＭを採用してもよい。具体的にどのキャリアがどの伝送波形を採用するかは、事前設定又はネットワーク設定の方式によって決定されてもよい。
【００２９】
他の１つのシーンでは即ち、Ｖ２Ｘは専用キャリアにおいても動作できるし、アップリンクキャリアにおいても動作でき、そのため、アップリンクキャリアにおいてはアップリンクデータと同じ伝送波形を採用し、専用キャリアにおいては同じ又は異なる伝送波形を採用してもよい。
【００３０】
なお、前述の幾つかのシーンにおいて、前記第１チャネルは物理サイドリンク共有チャネル（ＰＳＳＣＨ）であり、又は、前記第１チャネルは物理サイドリンク制御チャネル（ＰＳＣＣＨ）であり、又は、前記第１チャネルは物理サイドリンクフィードバックチャネル（ＰＳＦＣＨ）であり、又は、前記第１チャネルは物理サイドリンクブロードキャストチャネル（ＰＳＢＣＨ）である。
【００３１】
シーン４、
本実施例は他の１つの、チャネル伝送の伝送波形を決定する方法を提供し、前記第１チャネルは物理サイドリンク共有チャネル（ＰＳＳＣＨ）であり、前記第１チャネルに対応する物理サイドリンク制御チャネル（ＰＳＣＣＨ）は第２チャネルである。
【００３２】
前記端末装置が第１チャネルの使用する伝送波形を決定することは、前記端末装置が前記第２チャネルに基づいて、前記第１チャネルの使用する伝送波形を決定することを含む。
【００３３】
前記第２チャネルにおいて指示情報が搬送され、前記指示情報は第２伝送波形を示すことに用いられる。
【００３４】
制御チャネルＰＳＣＣＨによってデータチャネルＰＳＳＣＨの採用する伝送波形を示す。
【００３５】
ＰＳＣＣＨがどの伝送波形を採用するかは事前設定されたものであってもよく、又はネットワークによって設定されたものであってもよく、又は上記のシーン１〜シーン３に記載の方法に基づいて決定されたものであってもよく、ＰＳＣＣＨにおいてＰＳＳＣＨの伝送波形を示す情報が運ばれ、以下の方式によってＰＳＳＣＨの伝送波形についての指示が実現されてもよい。
【００３６】
方式１、ＰＳＣＣＨにおいて表示情報によって、前記端末装置が前記第２チャネルに基づいて、前記第１チャネルの使用する伝送波形を決定することは、前記端末装置が、前記指示情報に示された前記第２伝送波形を前記第１チャネルの使用する伝送波形として決定することを含むことを示す。例えば、ＰＳＣＣＨに搬送されるＳＣＩ（サイドリンク制御情報、Ｓｉｄｅｌｉｎｋ  Ｃｏｎｔｒｏｌ  Ｉｎｆｏｒｍａｔｉｏｎ）に、ＰＳＳＣＨの伝送波形を示すための１ビットの情報が含まれ、例えば、下の表に示す通りである。
【００３７】
【表１】
2021510248.tif 000003
【００３８】
理解されるように、上の表に示されたのは単に一例であり、実際においては、０がＤＦＴ−ＯＦＤＭを表し、１がＣＰ−ＯＦＤＭを表してもよいが、本実施例では網羅的な説明をしない。
【００３９】
更に理解されるように、上の表では１ビットで２つの伝送波形を示す例が提示されたが、本実施例はｋビットを使用して２ｋ個の伝送波形を示すことに適する。
【００４０】
方式２、ＰＳＣＣＨ復調参照信号（ＤＭＲＳ、Ｄｅｍｏｄｕｌａｔｉｏｎ  Ｒｅｆｅｒｅｎｃｅ  Ｓｉｇｎａｌ）によって、前記端末装置は前記第２チャネルに対応するＤＭＲＳのシーケンス、循環シフト、直交カバーコード（ＯＣＣ）、リソース位置、ルートシーケンスのうちの少なくとも１つ及び第３対応関係に基づいて、前記第１チャネルの使用する伝送波形を決定し、前記第３対応関係は、ＤＭＲＳのシーケンス、循環シフト、直交カバーコード（ＯＣＣ）、リソース位置、ルートシーケンスのうちの少なくとも１つと伝送波形との間の対応関係であることを示す。
【００４１】
前記第３対応関係は前記端末装置に事前設定されたものであり、又は前記ネットワーク装置によって設定されたものである。
【００４２】
具体的に、ＤＭＲＳのシーケンス、循環シフト、ＯＣＣ（Ｏｒｔｈｏｇｏｎａｌ  Ｃｏｖｅｒ  Ｃｏｄｅ、直交カバーコード）、リソース位置、ルートシーケンス（Ｒｏｏｔ  ｓｅｑｕｅｎｃｅ）等を介して異なる伝送波形を示してもよく、端末はＰＳＣＣＨのＤＭＲＳを検出することで、ＤＭＲＳのシーケンス、循環シフト、ＯＣＣ、リソース位置、ルートシーケンス等の情報のうちの少なくとも１つを取得し、そして第３対応関係に基づいて、前記ＰＳＣＣＨに対応するＰＳＳＣＨの採用する伝送波形を決定する。
【００４３】
方式３、ＰＳＣＣＨのスクランブルコード情報によって、前記端末装置は前記第２チャネルのスクランブルコード情報及び第４対応関係に基づいて、前記第１チャネルの使用する伝送波形を決定し、前記第４対応関係は複数のスクランブルコード情報と複数の伝送波形との間の対応関係であることを示す。前記第４対応関係は前記端末装置に事前設定されたものであり、又は前記ネットワーク装置によって設定されたものである。
【００４４】
すなわち、ＰＳＣＣＨにおいてＳＣＩ情報が搬送され、前記ＳＣＩの情報ビットはスクランブル処理を経る必要があり、異なるスクランブルコードシーケンスによってＰＳＳＣＨの使用する伝送波形を暗黙的に示してもよく、異なるスクランブルコード情報又はスクランブルコードシーケンスと伝送波形との間の対応関係は第４対応関係である。
【００４５】
端末はＰＳＣＣＨに搬送されたＳＣＩを検出することによって、ＳＣＩの採用するマスクコード情報を取得し、そして第４対応関係に基づいて、前記ＰＳＣＣＨに対応するＰＳＳＣＨの採用する伝送波形を決定する。
【００４６】
方式４、前記端末装置は前記第２チャネルのマスクコード情報及び第５対応関係に基づいて、前記第１チャネルの使用する伝送波形を決定し、前記第５対応関係は複数のマスクコード情報と複数の伝送波形との間の対応関係である。
【００４７】
前記第５対応関係は前記端末装置に事前設定されたものであり、又は前記ネットワーク装置によって設定されたものである。
【００４８】
すなわち、ＰＳＣＣＨにおいてＳＣＩ情報が搬送され、前記ＳＣＩの情報ビットはマスク処理を経る必要があり、異なるマスクコードシーケンスによってＰＳＳＣＨの使用する伝送波形を暗黙的に示してもよく、異なるマスクコード情報又はマスクコードシーケンスと伝送波形との間の対応関係は第５対応関係である。
【００４９】
端末はＰＳＣＣＨに搬送されたＳＣＩを検出することによって、ＳＣＩの採用するマスクコード情報を取得し、そして第４対応関係に基づいて、前記ＰＳＣＣＨに対応するＰＳＳＣＨの採用する伝送波形を決定する。
【００５０】
ここから分かるように、上記の案を採用することで、端末装置はチャネルを介してデータ伝送を行う時、チャネルに対応する伝送波形を事前に決定し、それから選択した伝送波形に基づいてチャネルの伝送を行うことができる。これにより、送信側がどのように伝送波形を選択するか、及び送信側がどの伝送波形を採用してデータ伝送を行うかについて受信側がどのように知るか、という課題が解決され、それによって端末のインタラクション効率が確保される。
【００５１】
実施例２、
本発明実施例が提供するデータ伝送方法は、図３に示すように、
端末装置が第１チャネルの使用する伝送波形を決定するステップ１０１と、
前記端末装置が前記伝送波形に基づいて第１チャネルでデータ伝送を行うステップ１０２と、を含む。
【００５２】
前述のステップ１０１について、実施例１と異なるところは、端末装置が第１チャネルの使用する伝送波形を決定することは、
前記端末装置がネットワーク装置から送信された設定情報、前記第１チャネルの使用するリソースプール、前記第１チャネルの使用するキャリア、前記第１チャネルのタイプ、事前設定情報のうちの少なくとも１つに基づいて、前記第１チャネルの使用する伝送波形を決定することであってもよい、ということである。
【００５３】
更に、実施例１の提供する４つのシーンを踏まえて、本実施例は更に第１チャネルのタイプ及び事前設定情報のうちの１つに基づいて第１チャネルの使用する伝送波形を決定するという方式を提供し、具体的なシーンは以下の通りである。
【００５４】
シーン５、前記端末装置は前記第１チャネルのタイプ及び第６対応関係に基づいて、前記第１チャネルの使用する伝送波形を決定し、前記第６対応関係はチャネルタイプと伝送波形との対応関係を含む。
【００５５】
前記第１チャネルのタイプは、物理サイドリンク制御チャネル（ＰＳＣＣＨ、Ｐｈｙｓｉｃａｌ  Ｓｉｄｅｌｉｎｋ  Ｃｏｎｔｒｏｌ  Ｃｈａｎｎｅｌ）、物理サイドリンク共有チャネル（ＰＳＳＣＨ、Ｐｈｙｓｉｃａｌ  Ｓｉｄｅｌｉｎｋ  Ｓｈａｒｅｄ  Ｃｈａｎｎｅｌ）、物理サイドリンクフィードバックチャネル（ＰＳＦＣＨ、Ｐｈｙｓｉｃａｌ  Ｓｉｄｅｌｉｎｋ  Ｆｅｅｄｂａｃｋ  Ｃｈａｎｎｅｌ）、物理サイドリンクブロードキャストチャネル（ＰＳＢＣＨ、Ｐｈｙｓｉｃａｌ  Ｓｉｄｅｌｉｎｋ  Ｂｒｏａｄｃａｓｔ  Ｃｈａｎｎｅｌ）のうちの少なくとも１つを含む。
【００５６】
本シーンにおける前記第６対応関係はネットワーク側によって設定されたものであってもよく、また前記端末装置に事前設定されたものであってもよい。
【００５７】
前述の事前設定の方式は、プロトコル定義によって事前設定されるということであると理解してもよく、又は、前述の事前設定情報によって事前設定されるということであってもよく、又は、ネットワーク側から送信された情報によって事前設定されるということであってもよい。事前設定情報によって事前設定することは、端末装置自身が事前設定情報を設定し、該事前設定情報に基づいて第６対応関係を決定するということであってもよく、ネットワーク側から送信された情報によって事前設定することは、端末装置に第６対応関係を事前設定するために、ネットワーク側が端末装置に事前設定情報、又は設定情報を送信するということであると理解してもよい。
【００５８】
尚、ネットワーク側が第６対応関係を設定することは、ネットワーク側が端末装置に設定情報を送信し、該設定情報によって第６対応関係が決定されるということであると理解してもよい。
【００５９】
すなわち、ネットワーク装置の設定情報によって、又は端末装置は事前設定の情報によって、少なくとも１つのチャネルタイプに対応する伝送波形を決定し、具体的には、異なるチャネルタイプがそれぞれ異なる伝送波形に対応するということであってもよく、当然ながら、更に複数のチャネルタイプが同じ１つの伝送波形に対応するということであってもよく、そして、複数の伝送波形が同じ１つのチャネルタイプに対応するという情況もあり得る。
【００６０】
例えば、プロトコル定義、又は事前設定、又はネットワーク側設定の方式によって、複数のチャネルタイプと複数の伝送波形との間の対応関係を設定し、例えば、ＰＳＳＣＨがＣＰ−ＯＦＤＭを採用し、ＰＳＢＣＨがＤＦＴ−ＯＦＤＭを採用するように事前設定する。前記端末は該対応関係に基づいて、ＰＳＳＣＨ（即ち第１チャネル）がＣＰ−ＯＦＤＭの伝送波形を採用し、ＰＳＢＣＨがＤＦＴ−ＯＦＤＭの伝送波形を採用することを決定する。当然ながら、更に他の対応関係が存在してもよいが、ここでは網羅的な説明をしない。
【００６１】
シーン６、前記端末装置は事前設定情報に基づいて、前記第１チャネルの使用する伝送波形を決定する。
【００６２】
具体的には、プロトコル定義又は事前設定の方式によって、第１チャネルの使用する伝送波形を決定する。
【００６３】
例えば、事前設定の方式によって、ＰＳＳＣＨがＣＰ−ＯＦＤＭを採用し、ＰＳＢＣＨがＤＦＴ−ＯＦＤＭを採用し、ＰＳＦＣＨがＤＦＴ−ＯＦＤＭを採用し、ＰＳＣＣＨがＤＦＴ−ＯＦＤＭを採用することを決定する。端末装置は事前設定情報に基づいて第１チャネルの伝送波形を決定し、前記第１チャネルは、ＰＳＣＣＨ、又はＰＳＳＣＨ、又はＰＳＦＣＨ、又はＰＳＢＣＨのうちの１つである。
【００６４】
なお、前述の幾つかのシーンにおいて、前記第１チャネルは物理サイドリンク共有チャネル（ＰＳＳＣＨ）であり、又は、前記第１チャネルは物理サイドリンク制御チャネル（ＰＳＣＣＨ）であり、又は、前記第１チャネルは物理サイドリンクフィードバックチャネル（ＰＳＦＣＨ）であり、又は、前記第１チャネルは物理サイドリンクブロードキャストチャネル（ＰＳＢＣＨ）である。
【００６５】
ここから分かるように、上記の案を採用することで、端末装置はチャネルを介してデータ伝送を行う時、チャネルに対応する伝送波形を事前に決定し、それから選択した伝送波形に基づいてチャネルの伝送を行うことができる。これにより、送信側がどのように伝送波形を選択するか、及び送信側がどの伝送波形を採用してデータ伝送を行うかについて受信側がどのように知るか、という課題が解決され、それによって端末のインタラクション効率が確保される。
【００６６】
実施例３、
本発明実施例が提供するデータ伝送方法は、図４に示すように、
ネットワーク装置が設定情報を決定し、前記設定情報は第１チャネルの使用する伝送波形を端末装置に示すことに用いられるステップ２０１と、  
前記ネットワーク装置が前記端末装置に前記設定情報を送信するステップ２０２と、を含む。
【００６７】
具体的には、以下の複数の処理シーンを含む。
【００６８】
シーン１、
前記設定情報は複数の伝送波形のうちの第１伝送波形を示すことに用いられる。
【００６９】
前記複数の伝送波形は前記端末装置に事前設定されたものであり、又は前記ネットワーク装置によって設定されたものである。
【００７０】
前記複数の伝送波形は２つ以上の伝送波形である。
【００７１】
前記設定情報が第１伝送波形を示す場合、前記端末装置は複数の伝送波形の中から前記第１伝送波形を前記第１チャネルの使用する伝送波形として決定する。
【００７２】
端末装置に事前設定された複数の伝送波形はチャネルとの間に事前に関係がなくてもよく、即ち、端末装置は複数の伝送波形から任意に１つの伝送波形を選択して第１チャネルの伝送波形としてもよい。
【００７３】
シーン２、前記設定情報は第１対応関係を示すことに用いられ、前記第１対応関係は複数のリソースプールと複数の伝送波形との対応関係である。
【００７４】
このようなシーンでは、前記端末装置は前記第１チャネルの使用するリソースプール及び第１対応関係に基づいて、前記第１チャネルの使用する伝送波形を決定し、前記第１対応関係は複数のリソースプールと複数の伝送波形との対応関係である。前記第１対応関係は前記端末装置に事前設定されたものであり、又は前記ネットワーク装置によって設定されたものである。
【００７５】
理解されるように、本シーンにおける異なるリソースプールの採用する伝送波形について、ネットワーク設定又は事前設定の方式によってリソースプールに対応する伝送波形形式が定義されてもよい。
【００７６】
具体的に、Ｖ２Ｘにおいて、ネットワーク設定又は事前設定の方式によって複数のリソースプールが設定されてもよく、異なるリソースプールは異なる伝送波形に対応してもよく、リソースプールと伝送波形との間の対応関係はネットワーク設定又は事前設定の方式によって決定されてもよい。
【００７７】
ネットワーク側で設定する場合、ネットワーク側はＲＲＣシグナリングの方式によって各リソースプールの伝送波形を設定してもよい。
【００７８】
シーン３、前記設定情報は第２対応関係を示すことに用いられ、前記第２対応関係は複数のキャリアと複数の伝送波形との対応関係である。
【００７９】
このようなシーンでは、前記端末装置は前記第１チャネルの使用するキャリア及び第２対応関係に基づいて、前記第１チャネルの使用する伝送波形を決定し、前記第２対応関係は複数のキャリアと複数の伝送波形との対応関係であり、前記第２対応関係は前記端末装置に事前設定されたものであり、又は前記ネットワーク装置によって設定されたものである。
【００８０】
具体的に、異なるキャリアは異なる伝送波形を採用し、ネットワーク設定又は事前設定の方式によってキャリアに対応する伝送波形形式が定義されてもよい。
【００８１】
Ｖ２Ｘでは複数のキャリアをサポートでき、例えば、Ｒｅｌ−１５のＶ２Ｘでは８つのキャリアをサポートでき、異なるキャリアに異なる伝送波形を設定できる。例えば、Ｒｅｌ−１４又はＲｅｌ−１５の端末を後方互換することを考えて、Ｒｅｌ−１４又はＲｅｌ−１５端末のあるキャリアにおいてはＤＦＴ−ＯＦＤＭ伝送波形を採用する。他のキャリアにおいてはＤＦＴ−ＯＦＤＭ又はＣＰ−ＯＦＤＭを採用してもよい。具体的にどのキャリアがどの伝送波形を採用するかは、事前設定又はネットワーク設定の方式によって決定されてもよい。
【００８２】
他の１つのシーンでは即ち、Ｖ２Ｘは専用キャリアにおいても動作できるし、アップリンクキャリアにおいても動作でき、そのため、アップリンクキャリアにおいてはアップリンクデータと同じ伝送波形を採用し、専用キャリアにおいては同じ又は異なる伝送波形を採用してもよい。
【００８３】
なお、前述の幾つかのシーンにおいて、前記第１チャネルは物理サイドリンク共有チャネル（ＰＳＳＣＨ）であり、又は、前記第１チャネルは物理サイドリンク制御チャネル（ＰＳＣＣＨ）である。
【００８４】
シーン４、
本実施例は他の１つの、チャネルの使用する伝送波形を決定する方法を提供し、前記第１チャネルは物理サイドリンク共有チャネル（ＰＳＳＣＨ）であり、前記第１チャネルに対応する物理サイドリンク制御チャネル（ＰＳＣＣＨ）は第２チャネルである。
【００８５】
それに対応して、前記端末装置は前記第２チャネルに基づいて、前記第１チャネルの使用する伝送波形を決定する。
【００８６】
前記第２チャネルにおいて指示情報が搬送され、前記指示情報は第２伝送波形を示すことに用いられる。
【００８７】
制御チャネルＰＳＣＣＨによってデータチャネルＰＳＳＣＨの採用する伝送波形を示す。
【００８８】
ＰＳＣＣＨがどの伝送波形を採用するかは事前設定されたものであってもよく、又はネットワークによって設定されたものであってもよく、又は上記のシーン１〜シーン３に記載の方法に基づいて決定されたものであってもよく、ＰＳＣＣＨにおいてＰＳＳＣＨの伝送波形を示す情報が運ばれ、以下の方式によってＰＳＳＣＨの伝送波形についての指示が実現されてもよい。
【００８９】
方式１、ＰＳＣＣＨにおいて表示情報によって、前記端末装置が前記第２チャネルに基づいて、前記第１チャネルの使用する伝送波形を決定することは、前記端末装置が、前記指示情報に示された前記第２伝送波形を前記第１チャネルの使用する伝送波形として決定することを含むことを示す。例えば、ＰＳＣＣＨに搬送されるＳＣＩ（サイドリンク制御情報、Ｓｉｄｅｌｉｎｋ  Ｃｏｎｔｒｏｌ  Ｉｎｆｏｒｍａｔｉｏｎ）に、ＰＳＳＣＨの伝送波形を示すための１ビットの情報が含まれ、例えば、下の表に示す通りである。
【００９０】
【表２】
2021510248.tif 000004
【００９１】
理解されるように、上の表に示されたのは単に一例であり、実際においては、０がＤＦＴ−ＯＦＤＭを表し、１がＣＰ−ＯＦＤＭを表してもよいが、本実施例では網羅的な説明をしない。
【００９２】
更に理解されるように、上の表では１ビットで２つの伝送波形を示す例が提示されたが、本実施例はｋビットを使用して２ｋ個の伝送波形を示すことに適する。
【００９３】
方式２、ＰＳＣＣＨ  ＤＭＲＳによって、前記設定情報は第３対応関係を示すことに用いられ、前記第３対応関係は、ＤＭＲＳのシーケンス、循環シフト、直交カバーコード（ＯＣＣ）、リソース位置、ルートシーケンスのうちの少なくとも１つと伝送波形との対応関係であることを示す。
【００９４】
前記第３対応関係は前記端末装置に事前設定されたものであり、又は前記ネットワーク装置によって設定されたものである。
【００９５】
具体的に、ＤＭＲＳのシーケンス、循環シフト、ＯＣＣ（Ｏｒｔｈｏｇｏｎａｌ  Ｃｏｖｅｒ  Ｃｏｄｅ、直交カバーコード）、リソース位置、ルートシーケンス（Ｒｏｏｔ  ｓｅｑｕｅｎｃｅ）等を介して異なる伝送波形を示してもよく、端末はＰＳＣＣＨのＤＭＲＳを検出することで、ＤＭＲＳのシーケンス、循環シフト、ＯＣＣ、リソース位置、ルートシーケンス等の情報のうちの少なくとも１つを取得し、そして第３対応関係に基づいて、前記ＰＳＣＣＨに対応するＰＳＳＣＨの採用する伝送波形を決定する。
【００９６】
方式３、前記設定情報は第４対応関係を示すことに用いられ、前記第４対応関係は複数のスクランブルコード情報と伝送波形との対応関係である。
【００９７】
すなわち、ＰＳＣＣＨにおいてＳＣＩ情報が搬送され、前記ＳＣＩの情報ビットはスクランブル処理を経る必要があり、異なるスクランブルコードシーケンスによってＰＳＳＣＨの使用する伝送波形を暗黙的に示してもよく、異なるスクランブルコード情報又はスクランブルコードシーケンスと伝送波形との間の対応関係は第４対応関係である。
【００９８】
端末はＰＳＣＣＨに搬送されたＳＣＩを検出することによって、ＳＣＩの採用するマスクコード情報を取得し、そして第４対応関係に基づいて、前記ＰＳＣＣＨに対応するＰＳＳＣＨの採用する伝送波形を決定する。
【００９９】
方式４、前記設定情報は第５対応関係を示すことに用いられ、前記第５対応関係は複数のマスクコード情報と伝送波形との対応関係である。
【０１００】
すなわち、ＰＳＣＣＨにおいてＳＣＩ情報が搬送され、前記ＳＣＩの情報ビットはマスク処理を経る必要があり、異なるマスクコードシーケンスによってＰＳＳＣＨの使用する伝送波形を暗黙的に示してもよく、異なるマスクコード情報又はマスクコードシーケンスと伝送波形との間の対応関係は第５対応関係である。
【０１０１】
端末はＰＳＣＣＨに搬送されたＳＣＩを検出することによって、ＳＣＩの採用するマスクコード情報を取得し、そして第４対応関係に基づいて、前記ＰＳＣＣＨに対応するＰＳＳＣＨの採用する伝送波形を決定する。
【０１０２】
ここから分かるように、上記の案を採用することで、端末装置はチャネルを介してデータ伝送を行う時、チャネルに対応する伝送波形を事前に決定し、それから選択した伝送波形に基づいてチャネルの伝送を行うことができる。これにより、送信側がどのように伝送波形を選択するか、及び送信側がどの伝送波形を採用してデータ伝送を行うかについて受信側がどのように知るか、という課題が解決され、それによって端末のインタラクション効率が確保される。
【０１０３】
実施例４、
本発明実施例が提供するデータ伝送方法は、図４に示すように、
ネットワーク装置が設定情報を決定し、前記設定情報は第１チャネルの使用する伝送波形を端末装置に示すことに用いられるステップ２０１と、
前記ネットワーク装置が前記端末装置に前記設定情報を送信するステップ２０２と、を含む。
【０１０４】
実施例３と異なるところは、本実施例は実施例３に提供される複数のシーンの上、更に以下のシーンを提供するということである。
【０１０５】
シーン５、前記設定情報は第６対応関係を示すことに用いられ、前記第６対応関係はチャネルタイプと伝送波形との対応関係を含む。
【０１０６】
前記第１チャネルのタイプは、物理サイドリンク制御チャネル（ＰＳＣＣＨ、Ｐｈｙｓｉｃａｌ  Ｓｉｄｅｌｉｎｋ  Ｃｏｎｔｒｏｌ  Ｃｈａｎｎｅｌ）、物理サイドリンク共有チャネル（ＰＳＳＣＨ、Ｐｈｙｓｉｃａｌ  Ｓｉｄｅｌｉｎｋ  Ｓｈａｒｅｄ  Ｃｈａｎｎｅｌ）、物理サイドリンクフィードバックチャネル（ＰＳＦＣＨ、Ｐｈｙｓｉｃａｌ  Ｓｉｄｅｌｉｎｋ  Ｆｅｅｄｂａｃｋ  Ｃｈａｎｎｅｌ）、物理サイドリンクブロードキャストチャネル（ＰＳＢＣＨ、Ｐｈｙｓｉｃａｌ  Ｓｉｄｅｌｉｎｋ  Ｂｒｏａｄｃａｓｔ  Ｃｈａｎｎｅｌ）のうちの少なくとも１つを含む。
【０１０７】
本シーンにおける前記第６対応関係は前記ネットワーク装置によって端末装置に設定され、設定情報を介して端末装置に送信される。すなわち、ネットワーク装置の設定情報によって、少なくとも１つのチャネルタイプに対応する伝送波形を端末装置に示してもよく、具体的には、異なるチャネルタイプがそれぞれ異なる伝送波形に対応するということであってもよく、当然ながら、更に複数のチャネルタイプが同じ１つの伝送波形に対応するということであってもよく、そして、複数の伝送波形が同じ１つのチャネルタイプに対応するという情況もあり得る。
【０１０８】
例えば、設定情報によって、第６対応関係は、設定情報によって、第６対応関係は、ＰＳＳＣＨがＣＰ−ＯＦＤＭの伝送波形を採用し、ＰＳＢＣＨがＤＦＴ−ＯＦＤＭの伝送波形を採用するということであると端末装置に示す。それに対応して、前記端末は該対応関係に基づいて、ＰＳＳＣＨ（即ち第１チャネル）がＣＰ−ＯＦＤＭの伝送波形を採用し、ＰＳＢＣＨがＤＦＴ−ＯＦＤＭの伝送波形を採用することを決定する。当然ながら、更に他の対応関係が存在してもよいが、ここでは網羅的な説明をしない。
【０１０９】
ネットワーク側で設定する場合、ネットワーク側はＲＲＣシグナリングの方式によって各リソースプールの伝送波形を設定してもよい。
【０１１０】
ここから分かるように、上記の案を採用することで、端末装置はチャネルを介してデータ伝送を行う時、チャネルに対応する伝送波形を事前に決定し、それから選択した伝送波形に基づいてチャネルの伝送を行うことができる。これにより、送信側がどのように伝送波形を選択するか、及び送信側がどの伝送波形を採用してデータ伝送を行うかについて受信側がどのように知るか、という課題が解決され、それによって端末のインタラクション効率が確保される。
【０１１１】
実施例５、
本発明実施例が提供する端末装置は、図５に示すように、
第１チャネルの使用する伝送波形を決定する第１処理ユニット３１と、
前記伝送波形に基づいて第１チャネルでデータ伝送を行う第１通信ユニット３２と、を含む。
【０１１２】
第１処理ユニット３１について、第１チャネルの使用する伝送波形を決定することは、端末装置がネットワーク装置から送信された設定情報、前記第１チャネルの使用するリソースプール、前記第１チャネルの使用するキャリアのうちの少なくとも１つに基づいて、前記第１チャネルの使用する伝送波形を決定するということであってもよい。
【０１１３】
具体的には、以下の複数の処理シーンを含む。
【０１１４】
シーン１、
前記設定情報が第１伝送波形を示す場合、第１処理ユニット３１は、複数の伝送波形の中から前記第１伝送波形を前記第１チャネルの使用する伝送波形として決定する。
【０１１５】
前記複数の伝送波形は前記端末装置に事前設定されたものであり、又は前記ネットワーク装置によって設定されたものである。
【０１１６】
前記複数の伝送波形は２つ以上の伝送波形である。
【０１１７】
端末装置に事前設定された複数の伝送波形はチャネルとの間に事前に関係がなくてもよく、即ち、端末装置は複数の伝送波形から任意に１つの伝送波形を選択して第１チャネルの伝送波形としてもよい。
【０１１８】
シーン２、第１処理ユニット３１は、前記第１チャネルの使用するリソースプール及び第１対応関係に基づいて、前記第１チャネルの使用する伝送波形を決定し、前記第１対応関係は複数のリソースプールと複数の伝送波形との対応関係である。前記第１対応関係は前記端末装置に事前設定されたものであり、又は前記ネットワーク装置によって設定されたものである。
【０１１９】
理解されるように、本シーンにおいて異なるリソースプールは異なる伝送波形を採用し、ネットワーク設定又は事前設定の方式によってリソースプールに対応する伝送波形形式が定義されてもよい。
【０１２０】
具体的に、Ｖ２Ｘにおいて、ネットワーク設定又は事前設定の方式によって複数のリソースプールが設定されてもよく、異なるリソースプールは異なる伝送波形に対応してもよく、リソースプールと伝送波形との間の対応関係はネットワーク設定又は事前設定の方式によって決定されてもよい。
【０１２１】
ネットワーク側で設定する場合、ネットワーク側はＲＲＣシグナリングの方式によって各リソースプールの伝送波形を設定してもよい。
【０１２２】
シーン３、第１処理ユニット３１は、前記第１チャネルの使用するキャリア及び第２対応関係に基づいて、前記第１チャネルの使用する伝送波形を決定し、前記第２対応関係は複数のキャリアと複数の伝送波形との対応関係であり、前記第２対応関係は前記端末装置に事前設定されたものであり、又は前記ネットワーク装置によって設定されたものである。
【０１２３】
具体的に、異なるキャリアは異なる伝送波形を採用し、ネットワーク設定又は事前設定の方式によってキャリアに対応する伝送波形形式が定義されてもよい。
【０１２４】
Ｖ２Ｘでは複数のキャリアをサポートでき、例えば、Ｒｅｌ−１５のＶ２Ｘでは８つのキャリアをサポートでき、異なるキャリアに異なる伝送波形を設定できる。例えば、Ｒｅｌ−１４又はＲｅｌ−１５の端末を後方互換することを考えて、Ｒｅｌ−１４又はＲｅｌ−１５端末のあるキャリアにおいてはＤＦＴ−ＯＦＤＭ伝送波形を採用する。他のキャリアにおいてはＤＦＴ−ＯＦＤＭ又はＣＰ−ＯＦＤＭを採用してもよい。具体的にどのキャリアがどの伝送波形を採用するかは、事前設定又はネットワーク設定の方式によって決定されてもよい。
【０１２５】
他の１つのシーンでは即ち、Ｖ２Ｘは専用キャリアにおいても動作できるし、アップリンクキャリアにおいても動作でき、そのため、アップリンクキャリアにおいてはアップリンクデータと同じ伝送波形を採用し、専用キャリアにおいては同じ又は異なる伝送波形を採用してもよい。
【０１２６】
なお、前述の幾つかのシーンにおいて、前記第１チャネルは物理サイドリンク共有チャネル（ＰＳＳＣＨ）であり、又は、前記第１チャネルは物理サイドリンク制御チャネル（ＰＳＣＣＨ）であり、又は、前記第１チャネルは物理サイドリンクフィードバックチャネル（ＰＳＦＣＨ）であり、又は、前記第１チャネルは物理サイドリンクブロードキャストチャネル（ＰＳＢＣＨ）である。
【０１２７】
シーン４、
本実施例は他の１つの、チャネルの使用する伝送波形を決定する方法を提供し、前記第１チャネルは物理サイドリンク共有チャネル（ＰＳＳＣＨ）であり、前記第１チャネルに対応する物理サイドリンク制御チャネル（ＰＳＣＣＨ）は第２チャネルである。
【０１２８】
前記第１処理ユニット３１は前記第２チャネルに基づいて、前記第１チャネルの使用する伝送波形を決定する。
【０１２９】
前記第２チャネルにおいて指示情報が搬送され、前記指示情報は第２伝送波形を示すことに用いられる。
【０１３０】
制御チャネルＰＳＣＣＨによってデータチャネルＰＳＳＣＨの採用する伝送波形を示す。
【０１３１】
ＰＳＣＣＨがどの伝送波形を採用するかは事前設定されたものであってもよく、又はネットワークによって設定されたものであってもよく、又は上記のシーン１〜シーン３に記載の方法に基づいて決定されたものであってもよく、ＰＳＣＣＨにおいてＰＳＳＣＨの伝送波形を示す情報が運ばれ、以下の方式によってＰＳＳＣＨの伝送波形についての指示が実現されてもよい。
【０１３２】
方式１、ＰＳＣＣＨにおいて表示情報によって、第１処理ユニット３１が前記第２チャネルに基づいて、前記第１チャネルの使用する伝送波形を決定することは、前記端末装置が、前記指示情報に示された前記第２伝送波形を前記第１チャネルの使用する伝送波形として決定することを含むことを示す。例えば、ＰＳＣＣＨに搬送されるＳＣＩ（サイドリンク制御情報、Ｓｉｄｅｌｉｎｋ  Ｃｏｎｔｒｏｌ  Ｉｎｆｏｒｍａｔｉｏｎ）に、ＰＳＳＣＨの伝送波形を示すための１ビットの情報が含まれ、例えば、下の表に示す通りである。
【０１３３】
【表３】
2021510248.tif 000005
【０１３４】
理解されるように、上の表に示されたのは単に一例であり、実際においては、０がＤＦＴ−ＯＦＤＭを表し、１がＣＰ−ＯＦＤＭを表してもよいが、本実施例では網羅的な説明をしない。
【０１３５】
更に理解されるように、上の表では１ビットで２つの伝送波形を示す例が提示されたが、本実施例はｋビットを使用して２ｋ個の伝送波形を示すことに適する。
【０１３６】
方式２、ＰＳＣＣＨ  ＤＭＲＳによって、第１処理ユニット３１は前記第２チャネルに対応するＤＭＲＳのシーケンス、循環シフト、直交カバーコード（ＯＣＣ）、リソース位置、ルートシーケンスのうちの少なくとも１つ及び第３対応関係に基づいて、前記第１チャネルの使用する伝送波形を決定し、前記第３対応関係は、ＤＭＲＳのシーケンス、循環シフト、直交カバーコード（ＯＣＣ）、リソース位置、ルートシーケンスのうちの少なくとも１つと伝送波形との間の対応関係であることを示す。
【０１３７】
前記第３対応関係は前記端末装置に事前設定されたものであり、又は前記ネットワーク装置によって設定されたものである。
【０１３８】
具体的に、ＤＭＲＳのシーケンス、循環シフト、ＯＣＣ（Ｏｒｔｈｏｇｏｎａｌ  Ｃｏｖｅｒ  Ｃｏｄｅ、直交カバーコード）、リソース位置、ルートシーケンス（Ｒｏｏｔ  ｓｅｑｕｅｎｃｅ）等を介して異なる伝送波形を示してもよく、端末はＰＳＣＣＨのＤＭＲＳを検出することで、ＤＭＲＳのシーケンス、循環シフト、ＯＣＣ、リソース位置、ルートシーケンス等の情報のうちの少なくとも１つを取得し、そして第３対応関係に基づいて、前記ＰＳＣＣＨに対応するＰＳＳＣＨの採用する伝送波形を決定する。
【０１３９】
方式３、ＰＳＣＣＨのスクランブルコード情報によって、第１処理ユニット３１は前記第２チャネルのスクランブルコード情報及び第４対応関係に基づいて、前記第１チャネルの使用する伝送波形を決定し、前記第４対応関係は複数のスクランブルコード情報と複数の伝送波形との間の対応関係であることを示す。前記第４対応関係は前記端末装置に事前設定されたものであり、又は前記ネットワーク装置によって設定されたものである。
【０１４０】
すなわち、ＰＳＣＣＨにおいてＳＣＩ情報が搬送され、前記ＳＣＩの情報ビットはスクランブル処理を経る必要があり、異なるスクランブルコードシーケンスによってＰＳＳＣＨの使用する伝送波形を暗黙的に示してもよく、異なるスクランブルコード情報又はスクランブルコードシーケンスと伝送波形との間の対応関係は第４対応関係である。
【０１４１】
端末はＰＳＣＣＨに搬送されたＳＣＩを検出することによって、ＳＣＩの採用するマスクコード情報を取得し、そして第４対応関係に基づいて、前記ＰＳＣＣＨに対応するＰＳＳＣＨの採用する伝送波形を決定する。
【０１４２】
方式４、第１処理ユニット３１は前記第２チャネルのマスクコード情報及び第５対応関係に基づいて、前記第１チャネルの使用する伝送波形を決定し、前記第５対応関係は複数のマスクコード情報と複数の伝送波形との間の対応関係である。
【０１４３】
前記第５対応関係は前記端末装置に事前設定されたものであり、又は前記ネットワーク装置によって設定されたものである。
【０１４４】
すなわち、ＰＳＣＣＨにおいてＳＣＩ情報が搬送され、前記ＳＣＩの情報ビットはマスク処理を経る必要があり、異なるマスクコードシーケンスによってＰＳＳＣＨの使用する伝送波形を暗黙的に示してもよく、異なるマスクコード情報又はマスクコードシーケンスと伝送波形との間の対応関係は第５対応関係である。
【０１４５】
端末はＰＳＣＣＨに搬送されたＳＣＩを検出することによって、ＳＣＩの採用するマスクコード情報を取得し、そして第４対応関係に基づいて、前記ＰＳＣＣＨに対応するＰＳＳＣＨの採用する伝送波形を決定する。
【０１４６】
ここから分かるように、上記の案を採用することで、端末装置はチャネルを介してデータ伝送を行う時、チャネルに対応する伝送波形を事前に決定し、それから選択した伝送波形に基づいてチャネルの伝送を行うことができる。これにより、送信側がどのように伝送波形を選択するか、及び送信側がどの伝送波形を採用してデータ伝送を行うかについて受信側がどのように知るか、という課題が解決され、それによって端末のインタラクション効率が確保される。
【０１４７】
実施例６、
本発明実施例が提供する端末装置は、図５に示すように、
第１チャネルの使用する伝送波形を決定する第１処理ユニット３１と、
前記伝送波形に基づいて第１チャネルでデータ伝送を行う第１通信ユニット３２と、を含む。
【０１４８】
第１処理ユニット３１は、ネットワーク装置から送信された設定情報、前記第１チャネルの使用するリソースプール、前記第１チャネルの使用するキャリア、前記第１チャネルのタイプ、事前設定情報のうちの少なくとも１つに基づいて、前記第１チャネルの使用する伝送波形を決定する。
【０１４９】
更に、実施例５の提供する４つのシーンを踏まえて、本実施例は更に第１チャネルのタイプ及び事前設定情報のうちの１つに基づいて第１チャネルの使用する伝送波形を決定するという方式を提供し、具体的なシーンは以下の通りである。
【０１５０】
シーン５、第１処理ユニット３１は前記第１チャネルのタイプ及び第６対応関係に基づいて、前記第１チャネルの使用する伝送波形を決定し、前記第６対応関係はチャネルタイプと伝送波形との対応関係を含む。
【０１５１】
前記第１チャネルのタイプは、物理サイドリンク制御チャネル（ＰＳＣＣＨ、Ｐｈｙｓｉｃａｌ  Ｓｉｄｅｌｉｎｋ  Ｃｏｎｔｒｏｌ  Ｃｈａｎｎｅｌ）、物理サイドリンク共有チャネル（ＰＳＳＣＨ、Ｐｈｙｓｉｃａｌ  Ｓｉｄｅｌｉｎｋ  Ｓｈａｒｅｄ  Ｃｈａｎｎｅｌ）、物理サイドリンクフィードバックチャネル（ＰＳＦＣＨ、Ｐｈｙｓｉｃａｌ  Ｓｉｄｅｌｉｎｋ  Ｆｅｅｄｂａｃｋ  Ｃｈａｎｎｅｌ）、物理サイドリンクブロードキャストチャネル（ＰＳＢＣＨ、Ｐｈｙｓｉｃａｌ  Ｓｉｄｅｌｉｎｋ  Ｂｒｏａｄｃａｓｔ  Ｃｈａｎｎｅｌ）のうちの少なくとも１つを含む。
【０１５２】
本シーンにおける前記第６対応関係はネットワーク側によって設定されたものであってもよく、また前記端末装置に事前設定されたものであってもよい。
【０１５３】
前述の事前設定の方式は、プロトコル定義によって事前設定されるということであると理解してもよく、又は、前述の事前設定情報によって事前設定されるということであってもよく、又は、ネットワーク側から送信された情報によって事前設定されるということであってもよい。事前設定情報によって事前設定することは、端末装置自身が事前設定情報を設定し、該事前設定情報に基づいて第６対応関係を決定するということであってもよく、ネットワーク側から送信された情報によって事前設定することは、端末装置に第６対応関係を事前設定するために、ネットワーク側が端末装置に事前設定情報、又は設定情報を送信するということであると理解してもよい。
【０１５４】
尚、ネットワーク側が第６対応関係を設定することは、ネットワーク側が端末装置に設定情報を送信し、該設定情報によって第６対応関係が決定されるということであると理解してもよい。
【０１５５】
すなわち、ネットワーク装置の設定情報によって、又は端末装置は事前設定の情報によって、少なくとも１つのチャネルタイプに対応する伝送波形を決定し、具体的には、異なるチャネルタイプがそれぞれ異なる伝送波形に対応するということであってもよく、当然ながら、更に複数のチャネルタイプが同じ１つの伝送波形に対応するということであってもよく、そして、複数の伝送波形が同じ１つのチャネルタイプに対応するという情況もあり得る。
【０１５６】
例えば、プロトコル定義、又は事前設定、又はネットワーク側設定の方式によって、複数のチャネルタイプと複数の伝送波形との間の対応関係を設定し、例えば、ＰＳＳＣＨがＣＰ−ＯＦＤＭを採用し、ＰＳＢＣＨがＤＦＴ−ＯＦＤＭを採用するように事前設定する。前記端末は該対応関係に基づいて、ＰＳＳＣＨ（即ち第１チャネル）がＣＰ−ＯＦＤＭの伝送波形を採用し、ＰＳＢＣＨがＤＦＴ−ＯＦＤＭの伝送波形を採用することを決定する。当然ながら、更に他の対応関係が存在してもよいが、ここでは網羅的な説明をしない。
【０１５７】
シーン６、第１処理ユニット３１は事前設定情報に基づいて、前記第１チャネルの使用する伝送波形を決定する。
【０１５８】
具体的には、プロトコル定義又は事前設定の方式によって、第１チャネルの使用する伝送波形を決定する。
【０１５９】
例えば、事前設定の方式によって、ＰＳＳＣＨがＣＰ−ＯＦＤＭを採用し、ＰＳＢＣＨがＤＦＴ−ＯＦＤＭを採用し、ＰＳＦＣＨがＤＦＴ−ＯＦＤＭを採用し、ＰＳＣＣＨがＤＦＴ−ＯＦＤＭを採用することを決定する。端末装置は事前設定情報に基づいて第１チャネルの伝送波形を決定し、前記第１チャネルは、ＰＳＣＣＨ、又はＰＳＳＣＨ、又はＰＳＦＣＨ、又はＰＳＢＣＨのうちの１つである。
【０１６０】
なお、前述の幾つかのシーンにおいて、前記第１チャネルは物理サイドリンク共有チャネル（ＰＳＳＣＨ）であり、又は、前記第１チャネルは物理サイドリンク制御チャネル（ＰＳＣＣＨ）であり、又は、前記第１チャネルは物理サイドリンクフィードバックチャネル（ＰＳＦＣＨ）であり、又は、前記第１チャネルは物理サイドリンクブロードキャストチャネル（ＰＳＢＣＨ）である。
【０１６１】
ここから分かるように、上記の案を採用することで、端末装置はチャネルを介してデータ伝送を行う時、チャネルに対応する伝送波形を事前に決定し、それから選択した伝送波形に基づいてチャネルの伝送を行うことができる。これにより、送信側がどのように伝送波形を選択するか、及び送信側がどの伝送波形を採用してデータ伝送を行うかについて受信側がどのように知るか、という課題が解決され、それによって端末のインタラクション効率が確保される。
【０１６２】
実施例７、
本発明実施例が提供するネットワーク装置は、図６に示すように、
設定情報を決定し、前記設定情報は第１チャネルの使用する伝送波形を端末装置に示すことに用いられる第２処理ユニット４１と、
前記端末装置に前記設定情報を送信する第２通信ユニット４２と、を含む。
【０１６３】
具体的には、以下の複数の処理シーンを含む。
【０１６４】
シーン１、
前記設定情報は複数の伝送波形のうちの第１伝送波形を示すことに用いられる。
【０１６５】
前記複数の伝送波形は前記端末装置に事前設定されたものであり、又は前記ネットワーク装置によって設定されたものである。
【０１６６】
前記複数の伝送波形は２つ以上の伝送波形である。
【０１６７】
前記第２通信ユニット４２は前記端末装置に前記複数の伝送波形を設定する。
【０１６８】
前記設定情報が第１伝送波形を示す場合、前記端末装置は複数の伝送波形の中から前記第１伝送波形を前記第１チャネルの使用する伝送波形として決定する。
【０１６９】
端末装置に事前設定された複数の伝送波形はチャネルとの間に事前に関係がなくてもよく、即ち、端末装置は複数の伝送波形から任意に１つの伝送波形を選択して第１チャネルの伝送波形としてもよい。
【０１７０】
シーン２、前記設定情報は第１対応関係を示すことに用いられ、前記第１対応関係は複数のリソースプールと複数の伝送波形との対応関係である。
【０１７１】
このようなシーンでは、前記端末装置は前記第１チャネルの使用するリソースプール及び第１対応関係に基づいて、前記第１チャネルの使用する伝送波形を決定し、前記第１対応関係は複数のリソースプールと複数の伝送波形との対応関係である。前記第１対応関係は前記端末装置に事前設定されたものであり、又は前記ネットワーク装置によって設定されたものである。
【０１７２】
理解されるように、本シーンにおける異なるリソースプールの採用する伝送波形について、ネットワーク設定又は事前設定の方式によってリソースプールに対応する伝送波形形式が定義されてもよい。
【０１７３】
具体的に、Ｖ２Ｘにおいて、ネットワーク設定又は事前設定の方式によって複数のリソースプールが設定されてもよく、異なるリソースプールは異なる伝送波形に対応してもよく、リソースプールと伝送波形との間の対応関係はネットワーク設定又は事前設定の方式によって決定されてもよい。
【０１７４】
ネットワーク側で設定する場合、ネットワーク側はＲＲＣシグナリングの方式によって各リソースプールの伝送波形を設定してもよい。
【０１７５】
シーン３、前記設定情報は第２対応関係を示すことに用いられ、前記第２対応関係は複数のキャリアと複数の伝送波形との対応関係である。
【０１７６】
このようなシーンでは、前記端末装置は前記第１チャネルの使用するキャリア及び第２対応関係に基づいて、前記第１チャネルの使用する伝送波形を決定し、前記第２対応関係は複数のキャリアと複数の伝送波形との対応関係であり、前記第２対応関係は前記端末装置に事前設定されたものであり、又は前記ネットワーク装置によって設定されたものである。
【０１７７】
具体的に、異なるキャリアは異なる伝送波形を採用し、ネットワーク設定又は事前設定の方式によってキャリアに対応する伝送波形形式が定義されてもよい。
【０１７８】
Ｖ２Ｘでは複数のキャリアをサポートでき、例えば、Ｒｅｌ−１５のＶ２Ｘでは８つのキャリアをサポートでき、異なるキャリアに異なる伝送波形を設定できる。例えば、Ｒｅｌ−１４又はＲｅｌ−１５の端末を後方互換することを考えて、Ｒｅｌ−１４又はＲｅｌ−１５端末のあるキャリアにおいてはＤＦＴ−ＯＦＤＭ伝送波形を採用する。他のキャリアにおいてはＤＦＴ−ＯＦＤＭ又はＣＰ−ＯＦＤＭを採用してもよい。具体的にどのキャリアがどの伝送波形を採用するかは、事前設定又はネットワーク設定の方式によって決定されてもよい。
【０１７９】
他の１つのシーンでは即ち、Ｖ２Ｘは専用キャリアにおいても動作できるし、アップリンクキャリアにおいても動作でき、そのため、アップリンクキャリアにおいてはアップリンクデータと同じ伝送波形を採用し、専用キャリアにおいては同じ又は異なる伝送波形を採用してもよい。
【０１８０】
なお、前述の幾つかのシーンにおいて、前記第１チャネルは物理サイドリンク共有チャネル（ＰＳＳＣＨ）であり、又は、前記第１チャネルは物理サイドリンク制御チャネル（ＰＳＣＣＨ）であり、又は、前記第１チャネルは物理サイドリンクフィードバックチャネル（ＰＳＦＣＨ）であり、又は、前記第１チャネルは物理サイドリンクブロードキャストチャネル（ＰＳＢＣＨ）である。
【０１８１】
シーン４、
本実施例は他の１つの、チャネルの使用する伝送波形を決定する方法を提供し、前記第１チャネルは物理サイドリンク共有チャネル（ＰＳＳＣＨ）であり、前記第１チャネルに対応する物理サイドリンク制御チャネル（ＰＳＣＣＨ）は第２チャネルである。
【０１８２】
それに対応して、前記端末装置は前記第２チャネルに基づいて、前記第１チャネルの使用する伝送波形を決定する。
【０１８３】
前記第２チャネルにおいて指示情報が搬送され、前記指示情報は第２伝送波形を示すことに用いられる。
【０１８４】
制御チャネルＰＳＣＣＨによってデータチャネルＰＳＳＣＨの採用する伝送波形を示す。
【０１８５】
ＰＳＣＣＨがどの伝送波形を採用するかは事前設定されたものであってもよく、又はネットワークによって設定されたものであってもよく、又は上記のシーン１〜シーン３に記載の方法に基づいて決定されたものであってもよく、ＰＳＣＣＨにおいてＰＳＳＣＨの伝送波形を示す情報が運ばれ、以下の方式によってＰＳＳＣＨの伝送波形についての指示が実現されてもよい。
【０１８６】
方式１、ＰＳＣＣＨにおいて表示情報によって、前記端末装置が前記第２チャネルに基づいて、前記第１チャネルの使用する伝送波形を決定することは、前記端末装置が、前記指示情報に示された前記第２伝送波形を前記第１チャネルの使用する伝送波形として決定することを含むことを示す。例えば、ＰＳＣＣＨに搬送されるＳＣＩ（サイドリンク制御情報、Ｓｉｄｅｌｉｎｋ  Ｃｏｎｔｒｏｌ  Ｉｎｆｏｒｍａｔｉｏｎ）に、ＰＳＳＣＨの伝送波形を示すための１ビットの情報が含まれ、例えば、下の表に示す通りである。
【０１８７】
【表４】
2021510248.tif 000006
【０１８８】
理解されるように、上の表に示されたのは単に一例であり、実際においては、０がＤＦＴ−ＯＦＤＭを表し、１がＣＰ−ＯＦＤＭを表してもよいが、本実施例では網羅的な説明をしない。
【０１８９】
理解されるように、上の表では１ビットで２つの伝送波形を示す例が提示されたが、本実施例はｋビットを使用して２ｋ個の伝送波形を示すことに適する。
【０１９０】
方式２、ＰＳＣＣＨ  ＤＭＲＳによって、前記設定情報は第３対応関係を示すことに用いられ、前記第３対応関係は、ＤＭＲＳのシーケンス、循環シフト、直交カバーコード（ＯＣＣ）、リソース位置、ルートシーケンスのうちの少なくとも１つと伝送波形との対応関係であることを示す。
【０１９１】
前記第３対応関係は前記端末装置に事前設定されたものであり、又は前記ネットワーク装置によって設定されたものである。
【０１９２】
具体的に、ＤＭＲＳのシーケンス、循環シフト、ＯＣＣ（Ｏｒｔｈｏｇｏｎａｌ  Ｃｏｖｅｒ  Ｃｏｄｅ、直交カバーコード）、リソース位置、ルートシーケンス（Ｒｏｏｔ  ｓｅｑｕｅｎｃｅ）等を介して異なる伝送波形を示してもよく、端末はＰＳＣＣＨのＤＭＲＳを検出することで、ＤＭＲＳのシーケンス、循環シフト、ＯＣＣ、リソース位置、ルートシーケンス等の情報のうちの少なくとも１つを取得し、そして第３対応関係に基づいて、前記ＰＳＣＣＨに対応するＰＳＳＣＨの採用する伝送波形を決定する。
【０１９３】
方式３、前記設定情報は第４対応関係を示すことに用いられ、前記第４対応関係は複数のスクランブルコード情報と伝送波形との対応関係である。
【０１９４】
すなわち、ＰＳＣＣＨにおいてＳＣＩ情報が搬送され、前記ＳＣＩの情報ビットはスクランブル処理を経る必要があり、異なるスクランブルコードシーケンスによってＰＳＳＣＨの使用する伝送波形を暗黙的に示してもよく、異なるスクランブルコード情報又はスクランブルコードシーケンスと伝送波形との間の対応関係は第４対応関係である。
【０１９５】
端末はＰＳＣＣＨに搬送されたＳＣＩを検出することによって、ＳＣＩの採用するマスクコード情報を取得し、そして第４対応関係に基づいて、前記ＰＳＣＣＨに対応するＰＳＳＣＨの採用する伝送波形を決定する。
【０１９６】
方式４、前記設定情報は第５対応関係を示すことに用いられ、前記第５対応関係は複数のマスクコード情報と伝送波形との対応関係である。
【０１９７】
すなわち、ＰＳＣＣＨにおいてＳＣＩ情報が搬送され、前記ＳＣＩの情報ビットはマスク処理を経る必要があり、異なるマスクコードシーケンスによってＰＳＳＣＨの使用する伝送波形を暗黙的に示してもよく、異なるマスクコード情報又はマスクコードシーケンスと伝送波形との間の対応関係は第５対応関係である。
【０１９８】
端末はＰＳＣＣＨに搬送されたＳＣＩを検出することによって、ＳＣＩの採用するマスクコード情報を取得し、そして第４対応関係に基づいて、前記ＰＳＣＣＨに対応するＰＳＳＣＨの採用する伝送波形を決定する。
【０１９９】
ここから分かるように、上記の案を採用することで、端末装置はチャネルを介してデータ伝送を行う時、まずチャネルに対応する伝送波形を決定し、それから選択した伝送波形に基づいてチャネルの伝送を行うことができる。これにより、送信側がどのように伝送波形を選択するか、及び送信側がどの伝送波形を採用してデータ伝送を行うかについて受信側がどのように知るか、という課題が解決され、それによって端末のインタラクション効率が確保される。
【０２００】
実施例８、
本発明実施例が提供するネットワーク装置は、図６に示すように、
設定情報を決定し、前記設定情報は第１チャネルの使用する伝送波形を端末装置に示すことに用いられる第２処理ユニット４１と、
前記端末装置に前記設定情報を送信する第２通信ユニット４２と、を含む。
【０２０１】
本実施例は実施例７に提供される複数のシーンの上、更に以下のシーンを提供する。
【０２０２】
シーン５、前記設定情報は第６対応関係を示すことに用いられ、前記第６対応関係はチャネルタイプと伝送波形との対応関係を含む。
【０２０３】
前記第１チャネルのタイプは、物理サイドリンク制御チャネル（ＰＳＣＣＨ、Ｐｈｙｓｉｃａｌ  Ｓｉｄｅｌｉｎｋ  Ｃｏｎｔｒｏｌ  Ｃｈａｎｎｅｌ）、物理サイドリンク共有チャネル（ＰＳＳＣＨ、Ｐｈｙｓｉｃａｌ  Ｓｉｄｅｌｉｎｋ  Ｓｈａｒｅｄ  Ｃｈａｎｎｅｌ）、物理サイドリンクフィードバックチャネル（ＰＳＦＣＨ、Ｐｈｙｓｉｃａｌ  Ｓｉｄｅｌｉｎｋ  Ｆｅｅｄｂａｃｋ  Ｃｈａｎｎｅｌ）、物理サイドリンクブロードキャストチャネル（ＰＳＢＣＨ、Ｐｈｙｓｉｃａｌ  Ｓｉｄｅｌｉｎｋ  Ｂｒｏａｄｃａｓｔ  Ｃｈａｎｎｅｌ）のうちの少なくとも１つを含む。
【０２０４】
本シーンにおける前記第６対応関係は前記ネットワーク装置によって端末装置に設定され、設定情報を介して端末装置に送信される。すなわち、ネットワーク装置の設定情報によって、少なくとも１つのチャネルタイプに対応する伝送波形を端末装置に示してもよく、具体的には、異なるチャネルタイプがそれぞれ異なる伝送波形に対応するということであってもよく、当然ながら、更に複数のチャネルタイプが同じ１つの伝送波形に対応するということであってもよく、そして、複数の伝送波形が同じ１つのチャネルタイプに対応するという情況もあり得る。
【０２０５】
例えば、設定情報によって、第６対応関係は、ＰＳＳＣＨがＣＰ−ＯＦＤＭの伝送波形を採用し、ＰＳＢＣＨがＤＦＴ−ＯＦＤＭの伝送波形を採用するということであると端末装置に示す。それに対応して、前記端末は該対応関係に基づいて、ＰＳＳＣＨ（即ち第１チャネル）がＣＰ−ＯＦＤＭの伝送波形を採用し、ＰＳＢＣＨがＤＦＴ−ＯＦＤＭの伝送波形を採用することを決定する。当然ながら、更に他の対応関係が存在してもよいが、ここでは網羅的な説明をしない。
【０２０６】
ネットワーク側で設定する場合、ネットワーク側はＲＲＣシグナリングの方式によって各リソースプールの伝送波形を設定してもよい。
【０２０７】
ここから分かるように、上記の案を採用することで、端末装置はチャネルを介してデータ伝送を行う時、チャネルに対応する伝送波形を事前に決定し、それから選択した伝送波形に基づいてチャネルの伝送を行うことができる。これにより、送信側がどのように伝送波形を選択するか、及び送信側がどの伝送波形を採用してデータ伝送を行うかについて受信側がどのように知るか、という課題が解決され、それによって端末のインタラクション効率が確保される。
【０２０８】
本発明実施例は更に端末装置、又はネットワーク装置のハードウェア構成アーキテクチャを提供し、該ハードウェア構成アーキテクチャは、図７に示すように、少なくとも１つのプロセッサ５１、メモリ５２、少なくとも１つのネットワークインタフェース５３を含む。各構成要素はバスシステム５４によって結合される。理解できるように、バスシステム５４はこれらの構成要素間の接続・通信を実現することに用いられる。バスシステム５４はデータバスを含む他、更に電源バス、制御バス及び状態信号バスを含む。しかし明確に説明するために、図５では様々なバスを全てバスシステム５４と表記する。
【０２０９】
理解できるように、本発明実施例におけるメモリ５２は揮発性メモリ又は不揮発性メモリであってもよく、又は、揮発性と不揮発性メモリの両方を含んでもよい。
【０２１０】
幾つかの実施形態では、メモリ５２には、オペレーティングシステム５２１及びアプリケーション５２２という要素、実行可能なモジュール又はデータ構造、又はそれらのサブセット、又はそれらの拡張セットが記憶される。
【０２１１】
前記プロセッサ５１は前述の実施例１の方法ステップを処理できるように設定され、ここでは更に詳しく説明することをしない。
【０２１２】
本発明実施例はコンピュータ記憶媒体を提供し、前記コンピュータ記憶媒体にはコンピュータ実行可能な命令が記憶され、前記コンピュータ実行可能な命令が実行される時、前述の実施例１の方法ステップが実行される。
【０２１３】
本発明実施例の上記装置がソフトウェア機能モジュールの形式で実現されそして独立した製品として販売又は使用される場合、１つのコンピュータ読み取り可能な記憶媒体に記憶されてもよい。このような理解に基づくと分かるように、本発明実施例の技術案の本質的な部分、又は従来技術に貢献する部分は、ソフトウェア製品の形式で具現でき、該コンピュータソフトウェア製品は１つの記憶媒体に記憶され、そして、１台のコンピュータ装置（パーソナルコンピュータ、サーバ、又はネットワーク装置等であってもよい）に本発明の各実施例に記載の方法の全部又は一部を実行させるための若干の命令を含む。前述の記憶媒体は、ＵＳＢディスク、リムーバブルハードディスク、読み出し専用メモリ（ＲＯＭ、Ｒｅａｄ−Ｏｎｌｙ  Ｍｅｍｏｒｙ）、磁気ディスク又は光ディスク等、プログラムコードを記憶できる各種の媒体を含む。このように、本発明実施例は、如何なる特定のハードウェアとソフトウェアの組み合わせにも制限されない。
【０２１４】
それに対応して、本発明実施例は更に、コンピュータプログラムが記憶されるコンピュータ記憶媒体を提供し、該コンピュータプログラムは、本発明実施例のデータスケジューリング方法を実行するように設定される。
【０２１５】
例示のために、本発明の好ましい実施例を開示したが、当業者は各種の改善、追加、置換を意識することが可能であり、従って、本発明の範囲は上記の実施例に制限されないとすべきである。
【図１】
2021510248.tif 000007
【図２】
2021510248.tif 000008
【図３】
2021510248.tif 000009
【図４】
2021510248.tif 000010
【図５】
2021510248.tif 000011
【図６】
2021510248.tif 000012
【図７】
2021510248.tif 000013
【国際調査報告】
2021510248.tif 000014
2021510248.tif 000015
2021510248.tif 000016
2021510248.tif 000017
2021510248.tif 000018
2021510248.tif 000019